(57)【特許請求の範囲】
【請求項１】
停車場システムと交通機関用広告制御サーバとにより構成される交通機関用広告制御システムであって、
交通機関用広告制御サーバは、
（１）移動車による停車場間の移動にかかる所要時間を記憶する所要時間記憶部と、
（２）乗客の降車を想定する降車側停車場を特定する降車側停車場特定情報と、前記降車側停車場への移動車の到着時間帯と、広告内容とを含む広告依頼を入力する広告依頼入力部と、
（３）入力された広告依頼を記憶する広告依頼記憶部と、
（４）広告を表示する広告表示停車場から、前記降車側停車場までの移動に要する所要時間を所要時間記憶部から読み出し、広告依頼に含まれる到着時間帯から、前記所要時間を差し引くことにより、広告を出力する広告時間帯を判定する広告時間判定部と、
（５）判定した広告時間帯と、降車側停車場特定情報と、広告内容とを含む広告指示を作成する広告指示作成部と、
（６）作成した広告指示を、広告表示停車場の停車場システムへ送信する広告指示送信部とを有し、
停車場システムは、
（７）前記広告指示を受信する広告指示受信部と、
（８）受信した広告指示を記憶する広告指示記憶部と、
（９）記憶した広告指示に含まれる広告時間帯に従って、記憶した広告指示に含まれる降車側停車場特定情報により特定される降車側停車場を乗車区間の一端とする定期券を判別し、判別した前記定期券に、記憶した広告指示に含まれる広告内容を出力する広告出力部とを有することを特徴とする交通機関用広告制御システム。
【請求項２】
停車場システムと交通機関用広告制御サーバとにより構成される交通機関用広告制御システムであって、
交通機関用広告制御サーバは、
（１）移動車による停車場間の移動にかかる所要時間を記憶する所要時間記憶部と、
（２）乗客の降車を想定する降車側停車場を特定する降車側停車場特定情報と、前記降車側停車場への移動車の到着時間帯と、広告内容を特定する情報とを含む広告依頼を入力する広告依頼入力部と、
（３）入力された広告依頼を記憶する広告依頼記憶部と、
（４）広告を表示する広告表示停車場から、前記降車側停車場までの移動に要する所要時間を所要時間記憶部から読み出し、広告依頼に含まれる到着時間帯から、前記所要時間を差し引くことにより、広告を出力する広告時間帯を判定する広告時間判定部と、
（５）広告内容を特定する情報に対応付けて広告内容を格納する交通機関用広告制御サーバ内の領域又は通信によりアクセス可能な外部装置の領域にアクセスして、広告内容を特定する情報を広告内容に変換し、判定した広告時間帯と、降車側停車場特定情報と、変換した広告内容とを含む広告指示を作成する広告指示作成部と、
（６）作成した広告指示を、広告表示停車場の停車場システムへ送信する広告指示送信部とを有し、
停車場システムは、
（７）前記広告指示を受信する広告指示受信部と、
（８）受信した広告指示を記憶する広告指示記憶部と、
（９）記憶した広告指示に含まれる広告時間帯に従って、記憶した広告指示に含まれる降車側停車場特定情報により特定される降車側停車場を乗車区間の一端とする定期券を判別し、判別した前記定期券に、記憶した広告指示に含まれる広告内容を出力する広告出力部とを有することを特徴とする交通機関用広告制御システム。
【請求項３】
停車場システムと交通機関用広告制御サーバとにより構成される交通機関用広告制御システムであって、
交通機関用広告制御サーバは、
（１）移動車による停車場間の移動にかかる所要時間を記憶する所要時間記憶部と、
（２）乗客の降車を想定する降車側停車場を特定する降車側停車場特定情報と、前記降車側停車場への移動車の到着時間帯と、広告内容を特定する情報とを含む広告依頼を入力する広告依頼入力部と、
（３）入力された広告依頼を記憶する広告依頼記憶部と、
（４）広告を表示する広告表示停車場から、前記降車側停車場までの移動に要する所要時間を所要時間記憶部から読み出し、広告依頼に含まれる到着時間帯から、前記所要時間を差し引くことにより、広告を出力する広告時間帯を判定する広告時間判定部と、
（５）判定した広告時間帯と、降車側停車場特定情報と、広告内容を特定する情報とを含む広告指示を作成する広告指示作成部と、
（６）作成した広告指示を、広告表示停車場の停車場システムへ送信する広告指示送信部とを有し、
停車場システムは、
（７）前記広告指示を受信する広告指示受信部と、
（８）受信した広告指示を記憶する広告指示記憶部と、
（９）広告内容を特定する情報に対応付けて広告内容を格納する停車場システム内の領域又は通信によりアクセス可能な外部装置の領域にアクセスして、記憶した広告指示に含まれる広告内容を特定する情報を広告内容に変換する広告内容変換部と、
（１０）記憶した広告指示に含まれる広告時間帯に従って、記憶した広告指示に含まれる降車側停車場特定情報により特定される降車側停車場を乗車区間の一端とする定期券を判別し、判別した前記定期券に、変換した広告内容を出力する広告出力部とを有することを特徴とする交通機関用広告制御システム。
【請求項４】
停車場システムと交通機関用広告制御サーバとにより構成される交通機関用広告制御システムであって、
交通機関用広告制御サーバは、
（１）移動車による停車場間の移動にかかる所要時間を記憶する所要時間記憶部と、
（２）乗客の降車を想定する降車側停車場を特定する降車側停車場特定情報と、前記降車側停車場への移動車の到着時間帯と、広告内容とを含む広告依頼を入力する広告依頼入力部と、
（３）入力された広告依頼を記憶する広告依頼記憶部と、
（４）広告を表示する広告表示停車場から、前記降車側停車場までの移動に要する所要時間を所要時間記憶部から読み出し、広告依頼に含まれる到着時間帯から、前記所要時間を差し引くことにより、広告を出力する広告時間帯を判定する広告時間判定部と、
（５）降車側停車場特定情報と、広告内容とを含む広告指示を作成する広告指示作成部と、
（６）判定した広告時間帯に、広告表示停車場の停車場システムへ広告指示を送信する広告指示送信部とを有し、
停車場システムは、
（７）前記広告指示を受信する広告指示受信部と、
（８）受信した広告指示に含まれる降車側停車場特定情報により特定される降車側停車場を乗車区間の一端とする定期券を判別し、判別した前記定期券に、受信した広告指示に含まれる広告内容を出力する広告出力部とを有することを特徴とする交通機関用広告制御システム。
【請求項５】
停車場システムと交通機関用広告制御サーバとにより構成される交通機関用広告制御システムであって、
交通機関用広告制御サーバは、
（１）移動車による停車場間の移動にかかる所要時間を記憶する所要時間記憶部と、
（２）乗客の降車を想定する降車側停車場を特定する降車側停車場特定情報と、前記降車側停車場への移動車の到着時間帯と、広告内容を特定する情報とを含む広告依頼を入力する広告依頼入力部と、
（３）入力された広告依頼を記憶する広告依頼記憶部と、
（４）広告を表示する広告表示停車場から、前記降車側停車場までの移動に要する所要時間を所要時間記憶部から読み出し、広告依頼に含まれる到着時間帯から、前記所要時間を差し引くことにより、広告を出力する広告時間帯を判定する広告時間判定部と、
（５）広告内容を特定する情報に対応付けて広告内容を格納する交通機関用広告制御サーバ内の領域又は通信によりアクセス可能な外部装置の領域にアクセスして、広告内容を特定する情報を広告内容に変換し、降車側停車場特定情報と、変換した広告内容とを含む広告指示を作成する広告指示作成部と、
（６）判定した広告時間帯に、広告表示停車場の停車場システムへ広告指示を送信する広告指示送信部とを有し、
停車場システムは、
（７）前記広告指示を受信する広告指示受信部と、
（８）受信した広告指示に含まれる降車側停車場特定情報により特定される降車側停車場を乗車区間の一端とする定期券を判別し、判別した前記定期券に、受信した広告指示に含まれる広告内容を出力する広告出力部とを有することを特徴とする交通機関用広告制御システム。
【請求項６】
停車場システムと交通機関用広告制御サーバとにより構成される交通機関用広告制御システムであって、
交通機関用広告制御サーバは、
（１）移動車による停車場間の移動にかかる所要時間を記憶する所要時間記憶部と、
（２）乗客の降車を想定する降車側停車場を特定する降車側停車場特定情報と、前記降車側停車場への移動車の到着時間帯と、広告内容を特定する情報とを含む広告依頼を入力する広告依頼入力部と、
（３）入力された広告依頼を記憶する広告依頼記憶部と、
（４）広告を表示する広告表示停車場から、前記降車側停車場までの移動に要する所要時間を所要時間記憶部から読み出し、広告依頼に含まれる到着時間帯から、前記所要時間を差し引くことにより、広告を出力する広告時間帯を判定する広告時間判定部と、
（５）降車側停車場特定情報と、広告内容を特定する情報とを含む広告指示を作成する広告指示作成部と、
（６）判定した広告時間帯に、広告表示停車場の停車場システムへ広告指示を送信する広
告指示送信部とを有し、
停車場システムは、
（７）前記広告指示を受信する広告指示受信部と、
（８）広告内容を特定する情報に対応付けて広告内容を格納する停車場システム内の領域又は通信によりアクセス可能な外部装置の領域にアクセスして、受信した広告指示に含まれる広告内容を特定する情報を広告内容に変換する広告内容変換部と、
（９）受信した広告指示に含まれる降車側停車場特定情報により特定される降車側停車場を乗車区間の一端とする定期券を判別し、判別した前記定期券に、変換した広告内容を出力する広告出力部とを有することを特徴とする交通機関用広告制御システム。
【請求項７】
停車場システムと接続し、以下の要素を有する交通機関用広告制御サーバ
（１）移動車による停車場間の移動にかかる所要時間を記憶する所要時間記憶部
（２）乗客の降車を想定する降車側停車場を特定する降車側停車場特定情報と、前記降車側停車場への移動車の到着時間帯と、広告内容とを含む広告依頼を入力する広告依頼入力部
（３）入力された広告依頼を記憶する広告依頼記憶部
（４）広告を表示する広告表示停車場から、前記降車側停車場までの移動に要する所要時間を所要時間記憶部から読み出し、広告依頼に含まれる到着時間帯から、前記所要時間を差し引くことにより、広告を出力する広告時間帯を判定する広告時間判定部
（５）判定した広告時間帯と、降車側停車場特定情報と、広告内容とを含む広告指示を作成する広告指示作成部
（６）作成した広告指示を、広告表示停車場の停車場システムへ送信する広告指示送信部。
【請求項８】
停車場システムと接続し、以下の要素を有する交通機関用広告制御サーバ
（１）移動車による停車場間の移動にかかる所要時間を記憶する所要時間記憶部
（２）乗客の降車を想定する降車側停車場を特定する降車側停車場特定情報と、前記降車側停車場への移動車の到着時間帯と、広告内容を特定する情報とを含む広告依頼を入力する広告依頼入力部
（３）入力された広告依頼を記憶する広告依頼記憶部
（４）広告を表示する広告表示停車場から、前記降車側停車場までの移動に要する所要時間を所要時間記憶部から読み出し、広告依頼に含まれる到着時間帯から、前記所要時間を差し引くことにより、広告を出力する広告時間帯を判定する広告時間判定部
（５）広告内容を特定する情報に対応付けて広告内容を格納する交通機関用広告制御サーバ内の領域又は通信によりアクセス可能な外部装置の領域にアクセスして、広告内容を特定する情報を広告内容に変換し、判定した広告時間帯と、降車側停車場特定情報と、変換した広告内容とを含む広告指示を作成する広告指示作成部
（６）作成した広告指示を、広告表示停車場の停車場システムへ送信する広告指示送信部。
【請求項９】
停車場システムと接続し、以下の要素を有する交通機関用広告制御サーバ
（１）移動車による停車場間の移動にかかる所要時間を記憶する所要時間記憶部
（２）乗客の降車を想定する降車側停車場を特定する降車側停車場特定情報と、前記降車側停車場への移動車の到着時間帯と、広告内容を特定する情報とを含む広告依頼を入力する広告依頼入力部
（３）入力された広告依頼を記憶する広告依頼記憶部
（４）広告を表示する広告表示停車場から、前記降車側停車場までの移動に要する所要時間を所要時間記憶部から読み出し、広告依頼に含まれる到着時間帯から、前記所要時間を差し引くことにより、広告を出力する広告時間帯を判定する広告時間判定部
（５）判定した広告時間帯と、降車側停車場特定情報と、広告内容を特定する情報とを含
む広告指示を作成する広告指示作成部
（６）作成した広告指示を、広告表示停車場の停車場システムへ送信する広告指示送信部。
【請求項１０】
停車場システムと接続し、以下の要素を有する交通機関用広告制御サーバ
（１）移動車による停車場間の移動にかかる所要時間を記憶する所要時間記憶部
（２）乗客の降車を想定する降車側停車場を特定する降車側停車場特定情報と、前記降車側停車場への移動車の到着時間帯と、広告内容とを含む広告依頼を入力する広告依頼入力部
（３）入力された広告依頼を記憶する広告依頼記憶部
（４）広告を表示する広告表示停車場から、前記降車側停車場までの移動に要する所要時間を所要時間記憶部から読み出し、広告依頼に含まれる到着時間帯から、前記所要時間を差し引くことにより、広告を出力する広告時間帯を判定する広告時間判定部
（５）降車側停車場特定情報と、広告内容とを含む広告指示を作成する広告指示作成部
（６）判定した広告時間帯に、広告表示停車場の停車場システムへ広告指示を送信する広告指示送信部。
【請求項１１】
停車場システムと接続し、以下の要素を有する交通機関用広告制御サーバ
（１）移動車による停車場間の移動にかかる所要時間を記憶する所要時間記憶部
（２）乗客の降車を想定する降車側停車場を特定する降車側停車場特定情報と、前記降車側停車場への移動車の到着時間帯と、広告内容を特定する情報とを含む広告依頼を入力する広告依頼入力部
（３）入力された広告依頼を記憶する広告依頼記憶部
（４）広告を表示する広告表示停車場から、前記降車側停車場までの移動に要する所要時間を所要時間記憶部から読み出し、広告依頼に含まれる到着時間帯から、前記所要時間を差し引くことにより、広告を出力する広告時間帯を判定する広告時間判定部
（５）広告内容を特定する情報に対応付けて広告内容を格納する交通機関用広告制御サーバ内の領域又は通信によりアクセス可能な外部装置の領域にアクセスして、広告内容を特定する情報を広告内容に変換し、降車側停車場特定情報と、変換した広告内容とを含む広告指示を作成する広告指示作成部
（６）判定した広告時間帯に、広告表示停車場の停車場システムへ広告指示を送信する広告指示送信部。
【請求項１２】
停車場システムと接続し、以下の要素を有する交通機関用広告制御サーバ
（１）移動車による停車場間の移動にかかる所要時間を記憶する所要時間記憶部
（２）乗客の降車を想定する降車側停車場を特定する降車側停車場特定情報と、前記降車側停車場への移動車の到着時間帯と、広告内容を特定する情報とを含む広告依頼を入力する広告依頼入力部
（３）入力された広告依頼を記憶する広告依頼記憶部
（４）広告を表示する広告表示停車場から、前記降車側停車場までの移動に要する所要時間を所要時間記憶部から読み出し、広告依頼に含まれる到着時間帯から、前記所要時間を差し引くことにより、広告を出力する広告時間帯を判定する広告時間判定部
（５）降車側停車場特定情報と、広告内容を特定する情報とを含む広告指示を作成する広告指示作成部
（６）判定した広告時間帯に、広告表示停車場の停車場システムへ広告指示を送信する広告指示送信部。
【請求項１３】
広告時間判定部は、路線を構成する停車場を、順次広告表示停車場として、広告時間帯を判定し、
広告指示作成部は、順次広告表示停車場毎に、前記広告指示を作成し、
広告指示送信部は、順次広告表示停車場毎に、前記広告指示を送信することを特徴とす
る請求項７から１２までのいずれかに記載の交通機関用広告制御サーバ。
【請求項１４】
広告指示作成部は、作成する広告指示に降車側停車場特定情報を含めることを特徴とする請求項７から１２までのいずれかに記載の交通機関用広告制御サーバ。
【請求項１５】
広告依頼入力部は、インターネットを介して広告依頼を受信することを特徴とする請求項７から１２までのいずれかに記載の交通機関用広告制御サーバ。
【請求項１６】
移動車による停車場間の移動にかかる所要時間を記憶する所要時間記憶部を有し、停車場システムと接続する交通機関用広告制御サーバによる交通機関用広告制御方法であって、以下の要素を有することを特徴とする交通機関用広告制御方法
（１）乗客の降車を想定する降車側停車場を特定する降車側停車場特定情報と、前記降車側停車場への移動車の到着時間帯と、広告内容とを含む広告依頼を入力する工程
（２）入力された広告依頼を記憶する工程
（３）広告を表示する広告表示停車場から、前記降車側停車場までの移動に要する所要時間を所要時間記憶部から読み出し、広告依頼に含まれる到着時間帯から、前記所要時間を差し引くことにより、広告を出力する広告時間帯を判定する工程
（４）判定した広告時間帯と、降車側停車場特定情報と、広告内容とを含む広告指示を作成する工程
（５）作成した広告指示を、広告表示停車場の停車場システムへ送信する工程。
【請求項１７】
移動車による停車場間の移動にかかる所要時間を記憶する所要時間記憶部を有し、停車場システムと接続する交通機関用広告制御サーバによる交通機関用広告制御方法であって、以下の要素を有することを特徴とする交通機関用広告制御方法
（１）乗客の降車を想定する降車側停車場を特定する降車側停車場特定情報と、前記降車側停車場への移動車の到着時間帯と、広告内容を特定する情報とを含む広告依頼を入力する工程
（２）入力された広告依頼を記憶する工程
（３）広告を表示する広告表示停車場から、前記降車側停車場までの移動に要する所要時間を所要時間記憶部から読み出し、広告依頼に含まれる到着時間帯から、前記所要時間を差し引くことにより、広告を出力する広告時間帯を判定する工程
（４）広告内容を特定する情報に対応付けて広告内容を格納する交通機関用広告制御サーバ内の領域又は通信によりアクセス可能な外部装置の領域にアクセスして、広告内容を特定する情報を広告内容に変換し、判定した広告時間帯と、降車側停車場特定情報と、変換した広告内容とを含む広告指示を作成する工程
（５）作成した広告指示を、広告表示停車場の停車場システムへ送信する工程。
【請求項１８】
移動車による停車場間の移動にかかる所要時間を記憶する所要時間記憶部を有し、停車場システムと接続する交通機関用広告制御サーバによる交通機関用広告制御方法であって、以下の要素を有することを特徴とする交通機関用広告制御方法
（１）乗客の降車を想定する降車側停車場を特定する降車側停車場特定情報と、前記降車側停車場への移動車の到着時間帯と、広告内容を特定する情報とを含む広告依頼を入力する工程
（２）入力された広告依頼を記憶する工程
（３）広告を表示する広告表示停車場から、前記降車側停車場までの移動に要する所要時間を所要時間記憶部から読み出し、広告依頼に含まれる到着時間帯から、前記所要時間を差し引くことにより、広告を出力する広告時間帯を判定する工程
（４）判定した広告時間帯と、降車側停車場特定情報と、広告内容を特定する情報とを含む広告指示を作成する工程
（５）作成した広告指示を、広告表示停車場の停車場システムへ送信する工程。
【請求項１９】
移動車による停車場間の移動にかかる所要時間を記憶する所要時間記憶部を有し、停車場システムと接続する交通機関用広告制御サーバとなるコンピュータに、以下の手順を実行させるためのプログラム
（１）乗客の降車を想定する降車側停車場を特定する降車側停車場特定情報と、前記降車側停車場への移動車の到着時間帯と、広告内容とを含む広告依頼を入力する手順
（２）入力された広告依頼を記憶する手順
（３）広告を表示する広告表示停車場から、前記降車側停車場までの移動に要する所要時
間を所要時間記憶部から読み出し、広告依頼に含まれる到着時間帯から、前記所要時間を差し引くことにより、広告を出力する広告時間帯を判定する手順
（４）判定した広告時間帯と、降車側停車場特定情報と、広告内容とを含む広告指示を作成する手順
（５）作成した広告指示を、広告表示停車場の停車場システムへ送信する手順。
【請求項２０】
移動車による停車場間の移動にかかる所要時間を記憶する所要時間記憶部を有し、停車場システムと接続する交通機関用広告制御サーバとなるコンピュータに、以下の手順を実行させるためのプログラム
（１）乗客の降車を想定する降車側停車場を特定する降車側停車場特定情報と、前記降車側停車場への移動車の到着時間帯と、広告内容を特定する情報とを含む広告依頼を入力する手順
（２）入力された広告依頼を記憶する手順
（３）広告を表示する広告表示停車場から、前記降車側停車場までの移動に要する所要時間を所要時間記憶部から読み出し、広告依頼に含まれる到着時間帯から、前記所要時間を差し引くことにより、広告を出力する広告時間帯を判定する手順
（４）広告内容を特定する情報に対応付けて広告内容を格納する交通機関用広告制御サーバ内の領域又は通信によりアクセス可能な外部装置の領域にアクセスして、広告内容を特定する情報を広告内容に変換し、判定した広告時間帯と、降車側停車場特定情報と、変換した広告内容とを含む広告指示を作成する手順
（５）作成した広告指示を、広告表示停車場の停車場システムへ送信する手順。
【請求項２１】
移動車による停車場間の移動にかかる所要時間を記憶する所要時間記憶部を有し、停車場システムと接続する交通機関用広告制御サーバとなるコンピュータに、以下の手順を実行させるためのプログラム
（１）乗客の降車を想定する降車側停車場を特定する降車側停車場特定情報と、前記降車側停車場への移動車の到着時間帯と、広告内容を特定する情報とを含む広告依頼を入力する手順
（２）入力された広告依頼を記憶する手順
（３）広告を表示する広告表示停車場から、前記降車側停車場までの移動に要する所要時間を所要時間記憶部から読み出し、広告依頼に含まれる到着時間帯から、前記所要時間を差し引くことにより、広告を出力する広告時間帯を判定する手順
（４）判定した広告時間帯と、降車側停車場特定情報と、広告内容を特定する情報とを含む広告指示を作成する手順
（５）作成した広告指示を、広告表示停車場の停車場システムへ送信する手順。
【請求項２２】
移動車による停車場間の移動にかかる所要時間を記憶する所要時間記憶部を有し、停車場システムと接続する交通機関用広告制御サーバによる交通機関用広告制御方法であって、以下の要素を有することを特徴とする交通機関用広告制御方法
（１）乗客の降車を想定する降車側停車場を特定する降車側停車場特定情報と、前記降車側停車場への移動車の到着時間帯と、広告内容とを含む広告依頼を入力する工程
（２）入力された広告依頼を記憶する工程
（３）広告を表示する広告表示停車場から、前記降車側停車場までの移動に要する所要時間を所要時間記憶部から読み出し、広告依頼に含まれる到着時間帯から、前記所要時間を差し引くことにより、広告を出力する広告時間帯を判定する工程
（４）降車側停車場特定情報と、広告内容とを含む広告指示を作成する工程
（５）判定した広告時間帯に、広告表示停車場の停車場システムへ広告指示を送信する工程。
【請求項２３】
移動車による停車場間の移動にかかる所要時間を記憶する所要時間記憶部を有し、停車場システムと接続する交通機関用広告制御サーバによる交通機関用広告制御方法であって、以下の要素を有することを特徴とする交通機関用広告制御方法
（１）乗客の降車を想定する降車側停車場を特定する降車側停車場特定情報と、前記降車側停車場への移動車の到着時間帯と、広告内容を特定する情報とを含む広告依頼を入力す
る工程
（２）入力された広告依頼を記憶する工程
（３）広告を表示する広告表示停車場から、前記降車側停車場までの移動に要する所要時間を所要時間記憶部から読み出し、広告依頼に含まれる到着時間帯から、前記所要時間を差し引くことにより、広告を出力する広告時間帯を判定する工程
（４）広告内容を特定する情報に対応付けて広告内容を格納する交通機関用広告制御サーバ内の領域又は通信によりアクセス可能な外部装置の領域にアクセスして、広告内容を特定する情報を広告内容に変換し、降車側停車場特定情報と、変換した広告内容とを含む広告指示を作成する工程
（５）判定した広告時間帯に、広告表示停車場の停車場システムへ広告指示を送信する工程。
【請求項２４】
移動車による停車場間の移動にかかる所要時間を記憶する所要時間記憶部を有し、停車場システムと接続する交通機関用広告制御サーバによる交通機関用広告制御方法であって、以下の要素を有することを特徴とする交通機関用広告制御方法
（１）乗客の降車を想定する降車側停車場を特定する降車側停車場特定情報と、前記降車側停車場への移動車の到着時間帯と、広告内容を特定する情報とを含む広告依頼を入力する工程
（２）入力された広告依頼を記憶する工程
（３）広告を表示する広告表示停車場から、前記降車側停車場までの移動に要する所要時間を所要時間記憶部から読み出し、広告依頼に含まれる到着時間帯から、前記所要時間を差し引くことにより、広告を出力する広告時間帯を判定する工程
（４）降車側停車場特定情報と、広告内容を特定する情報とを含む広告指示を作成する工程
（５）判定した広告時間帯に、広告表示停車場の停車場システムへ広告指示を送信する工程。
【請求項２５】
移動車による停車場間の移動にかかる所要時間を記憶する所要時間記憶部を有し、停車場システムと接続する交通機関用広告制御サーバとなるコンピュータに、以下の手順を実行させるためのプログラム
（１）乗客の降車を想定する降車側停車場を特定する降車側停車場特定情報と、前記降車側停車場への移動車の到着時間帯と、広告内容とを含む広告依頼を入力する手順
（２）入力された広告依頼を記憶する手順
（３）広告を表示する広告表示停車場から、前記降車側停車場までの移動に要する所要時間を所要時間記憶部から読み出し、広告依頼に含まれる到着時間帯から、前記所要時間を差し引くことにより、広告を出力する広告時間帯を判定する手順
（４）降車側停車場特定情報と、広告内容とを含む広告指示を作成する手順
（５）判定した広告時間帯に、広告表示停車場の停車場システムへ広告指示を送信する手順。
【請求項２６】
移動車による停車場間の移動にかかる所要時間を記憶する所要時間記憶部を有し、停車場システムと接続する交通機関用広告制御サーバとなるコンピュータに、以下の手順を実行させるためのプログラム
（１）乗客の降車を想定する降車側停車場を特定する降車側停車場特定情報と、前記降車側停車場への移動車の到着時間帯と、広告内容を特定する情報とを含む広告依頼を入力する手順
（２）入力された広告依頼を記憶する手順
（３）広告を表示する広告表示停車場から、前記降車側停車場までの移動に要する所要時間を所要時間記憶部から読み出し、広告依頼に含まれる到着時間帯から、前記所要時間を差し引くことにより、広告を出力する広告時間帯を判定する手順
（４）広告内容を特定する情報に対応付けて広告内容を格納する交通機関用広告制御サーバ内の領域又は通信によりアクセス可能な外部装置の領域にアクセスして、広告内容を特定する情報を広告内容に変換し、降車側停車場特定情報と、変換した広告内容とを含む広告指示を作成する手順
（５）判定した広告時間帯に、広告表示停車場の停車場システムへ広告指示を送信する手順。
【請求項２７】
移動車による停車場間の移動にかかる所要時間を記憶する所要時間記憶部を有し、停車場システムと接続する交通機関用広告制御サーバとなるコンピュータ
に、以下の手順を実行させるためのプログラム
（１）乗客の降車を想定する降車側停車場を特定する降車側停車場特定情報と、前記降車側停車場への移動車の到着時間帯と、広告内容を特定する情報とを含む広告依頼を入力する手順
（２）入力された広告依頼を記憶する手順
（３）広告を表示する広告表示停車場から、前記降車側停車場までの移動に要する所要時間を所要時間記憶部から読み出し、広告依頼に含まれる到着時間帯から、前記所要時間を差し引くことにより、広告を出力する広告時間帯を判定する手順
（４）降車側停車場特定情報と、広告内容を特定する情報とを含む広告指示を作成する手順
（５）判定した広告時間帯に、広告表示停車場の停車場システムへ広告指示を送信する手順。
【請求項２８】
交通機関用広告制御サーバと接続し、以下の要素を有する停車場システム
（１）交通機関用広告制御サーバから、広告時間帯と、乗客の降車を想定する降車側停車場を特定する降車側停車場特定情報と、広告内容とを含む広告指示を受信する広告指示受信部
（２）受信した広告指示を記憶する広告指示記憶部
（３）記憶した広告指示に含まれる広告時間帯に従って、記憶した広告指示に含まれる降車側停車場特定情報により特定される降車側停車場を乗車区間の一端とする定期券を判別し、判別した前記定期券に、記憶した広告指示に含まれる広告内容を出力する広告出力部。
【請求項２９】
交通機関用広告制御サーバと接続し、以下の要素を有する停車場システム
（１）交通機関用広告制御サーバから、広告時間帯と、乗客の降車を想定する降車側停車場を特定する降車側停車場特定情報と、広告内容を特定する情報とを含む広告指示を受信する広告指示受信部
（２）受信した広告指示を記憶する広告指示記憶部
（３）広告内容を特定する情報に対応付けて広告内容を格納する停車場システム内の領域又は通信によりアクセス可能な外部装置の領域にアクセスして、記憶した広告指示に含まれる広告内容を特定する情報を広告内容に変換する広告内容変換部
（４）記憶した広告指示に含まれる広告時間帯に従って、記憶した広告指示に含まれる降車側停車場特定情報により特定される降車側停車場を乗車区間の一端とする定期券を判別し、判別した前記定期券に、変換した広告内容を出力する広告出力部。
【請求項３０】
交通機関用広告制御サーバと接続し、以下の要素を有する停車場システム
（１）乗客の降車を想定する降車側停車場を特定する降車側停車場特定情報と、広告内容とを含む広告指示を受信する広告指示受信部
（２）受信した広告指示に含まれる降車側停車場特定情報により特定される降車側停車場を乗車区間の一端とする定期券を判別し、判別した前記定期券に、受信した広告指示に含まれる広告内容を出力する広告出力部。
【請求項３１】
交通機関用広告制御サーバと接続し、以下の要素を有する停車場システム
（１）乗客の降車を想定する降車側停車場を特定する降車側停車場特定情報と、広告内容を特定する情報とを含む広告指示を受信する広告指示受信部
（２）広告内容を特定する情報に対応付けて広告内容を格納する停車場システム内の領域又は通信によりアクセス可能な外部装置の領域にアクセスして、受信した広告指示に含まれる広告内容を特定する情報を広告内容に変換する広告内容変換部
（３）受信した広告指示に含まれる降車側停車場特定情報により特定される降車側停車場を乗車区間の一端とする定期券を判別し、判別した前記定期券に、変換した広告内容を出力する広告出力部。
【発明の詳細な説明】
【０００１】
【発明の属する技術分野】
本発明は、交通機関用広告制御システムに係り、地域性の強い広告の効率化を図る技術に関する。
【０００２】
【従来の技術】
鉄道のような交通機関における広告は、看板やビラのように乗客全般を対象とするものが一般的である。つまり、乗り降りする駅により乗客を選別して広告を提供することは、行われていない。
【０００３】
しかし、駅近辺の商店のような広告主は、取引活動の地域性が強いため、乗客全般に広告を提供するよりも、当該駅で乗り降りする乗客に対して選択的に広告を提供する方が望ましい。効率的に広告できることによりコストも低減できる。
【０００４】
また、乗客にとっても、自身に関連の深い地域の情報を取得できることは、有効であるが、交通機関の広告の場合は、乗客によって乗降する駅がまちまちであり、地域の情報の提供には不向きである。
【０００５】
【発明が解決しようとする課題】
本発明は、上記した従来技術の欠点を除くためになされたものであって、その目的とするところは、予定した停車場で、予定した時刻に降車する乗客の定期券に対して、選択的に広告を印字し、地域性の強い広告についての効率化を図ることを目的とする。
【０００６】
【課題を解決するための手段】
本発明に係る交通機関用広告制御システムは、
停車場システムと交通機関用広告制御サーバとにより構成される交通機関用広告制御システムであって、
交通機関用広告制御サーバは、
（１）移動車による停車場間の移動にかかる所要時間を記憶する所要時間記憶部と、
（２）乗客の降車を想定する降車側停車場を特定する降車側停車場特定情報と、前記降車側停車場への移動車の到着時刻とを含む広告依頼を入力する広告依頼入力部と、
（３）入力された広告依頼を記憶する広告依頼記憶部と、
（４）広告を表示する広告表示停車場から、前記降車側停車場までの移動に要する所要時間を所要時間記憶部から読み出し、広告依頼に含まれる到着時刻から、前記所要時刻を差し引くことにより、広告を出力する広告時間を判定する広告時間判定部と、
（５）判定した広告時間と、降車側停車場特定情報とを含む広告指示を作成する広告指示作成部と、
（６）作成した広告指示を、広告表示停車場の停車場システムへ送信する広告指示送信部とを有し、
停車場システムは、
（７）前記広告指示を受信する広告指示受信部と、
（８）受信した広告指示を記憶する広告指示記憶部と、
（９）記憶した広告指示に含まれる広告時間に従って、記憶した広告指示に含まれる降車側停車場特定情報により特定される降車側停車場を乗車区間の一端とする定期券を判別し、判別した前記定期券に広告を出力する広告出力部とを有することを特徴とする。
【０００７】
本発明に係る交通機関用広告制御システムは、
停車場システムと交通機関用広告制御サーバとにより構成される交通機関用広告制御システムであって、
交通機関用広告制御サーバは、
（１）移動車による停車場間の移動にかかる所要時間を記憶する所要時間記憶部と、
（２）乗客の降車を想定する降車側停車場を特定する降車側停車場特定情報と、前記降車側停車場への移動車の到着時刻とを含む広告依頼を入力する広告依頼入力部と、
（３）入力された広告依頼を記憶する広告依頼記憶部と、
（４）広告を表示する広告表示停車場から、前記降車側停車場までの移動に要する所要時間を所要時間記憶部から読み出し、広告依頼に含まれる到着時刻から、前記所要時刻を差し引くことにより、広告を出力する広告時間を判定する広告時間判定部と、
（５）降車側停車場特定情報を含む広告指示を作成する広告指示作成部と、
（６）判定した広告時間に、広告表示停車場の停車場システムへ広告指示を送信する広告指示送信部とを有し、
停車場システムは、
（７）前記広告指示を受信する広告指示受信部と、
（８）受信した広告指示に含まれる降車側停車場特定情報により特定される降車側停車場を乗車区間の一端とする定期券を判別し、判別した前記定期券に広告を出力する広告出力部とを有することを特徴とする。
【０００８】
本発明に係る交通機関用広告制御サーバは、
停車場システムと接続し、以下の要素を有することを特徴とする
（１）移動車による停車場間の移動にかかる所要時間を記憶する所要時間記憶部
（２）乗客の降車を想定する降車側停車場を特定する降車側停車場特定情報と、前記降車側停車場への移動車の到着時刻とを含む広告依頼を入力する広告依頼入力部
（３）入力された広告依頼を記憶する広告依頼記憶部
（４）広告を表示する広告表示停車場から、前記降車側停車場までの移動に要する所要時間を所要時間記憶部から読み出し、広告依頼に含まれる到着時刻から、前記所要時刻を差し引くことにより、広告を出力する広告時間を判定する広告時間判定部
（５）判定した広告時間を含む広告指示を作成する広告指示作成部
（６）作成した広告指示を、広告表示停車場の停車場システムへ送信する広告指示送信部。
【０００９】
本発明に係る交通機関用広告制御サーバは、
停車場システムと接続し、以下の要素を有することを特徴とする
（１）移動車による停車場間の移動にかかる所要時間を記憶する所要時間記憶部
（２）乗客の降車を想定する降車側停車場を特定する降車側停車場特定情報と、前記降車側停車場への移動車の到着時刻とを含む広告依頼を入力する広告依頼入力部
（３）入力された広告依頼を記憶する広告依頼記憶部
（４）広告を表示する広告表示停車場から、前記降車側停車場までの移動に要する所要時間を所要時間記憶部から読み出し、広告依頼に含まれる到着時刻から、前記所要時刻を差し引くことにより、広告を出力する広告時間を判定する広告時間判定部
（５）広告指示を作成する広告指示作成部
（６）判定した広告時間に、広告表示停車場の停車場システムへ広告指示を送信する広告指示送信部。
【００１０】
広告時間判定部は、路線を構成する停車場を、順次広告表示停車場として、広告時間を判定し、
広告指示作成部は、順次広告表示停車場毎に、前記広告指示を作成し、
広告指示送信部は、順次広告表示停車場毎に、前記広告指示を送信することを特徴とする。
【００１１】
広告指示作成部は、作成する広告指示に降車側停車場特定情報を含めることを特徴とする。
【００１２】
広告依頼入力部は、インターネットを介して広告依頼を受信することを特徴とする。
【００１３】
広告依頼は、広告内容を含み、
広告指示作成部は、作成する広告指示に、広告依頼に含まれる広告内容を含めることを特徴とする。
【００１４】
広告依頼は、広告内容を特定する情報を含み、
広告指示作成部は、作成する広告指示に、広告依頼に含まれる上記情報により特定される広告内容を含めることを特徴とする。
【００１５】
広告依頼は、広告内容を特定する情報を含み、
広告指示作成部は、作成する広告指示に、広告依頼に含まれる上記情報を含めることを特徴とする。
【００１６】
移動車は、電車であって、停車場は、駅であることを特徴とする。
【００１７】
移動車は、バスであって、停車場は、停留所であることを特徴とする。
【００１８】
本発明に係る交通機関用広告制御方法は、
移動車による停車場間の移動にかかる所要時間を記憶する所要時間記憶部を有し、停車場システムと接続する交通機関用広告制御サーバによる交通機関用広告制御方法であって、以下の要素を有することを特徴とする
（１）乗客の降車を想定する降車側停車場を特定する降車側停車場特定情報と、前記降車側停車場への移動車の到着時刻とを含む広告依頼を入力する工程
（２）入力された広告依頼を記憶する工程
（３）広告を表示する広告表示停車場から、前記降車側停車場までの移動に要する所要時間を所要時間記憶部から読み出し、広告依頼に含まれる到着時刻から、前記所要時刻を差し引くことにより、広告を出力する広告時間を判定する工程
（４）判定した広告時間を含む広告指示を作成する工程
（５）作成した広告指示を、広告表示停車場の停車場システムへ送信する工程。
【００１９】
本発明に係るプログラムを記録したコンピュータ読み取り可能な記録媒体は、移動車による停車場間の移動にかかる所要時間を記憶する所要時間記憶部を有し、停車場システムと接続する交通機関用広告制御サーバとなるコンピュータに、以下の処理を実行させるためのプログラムを記録したコンピュータ読み取り可能な記録媒体であることを特徴とする
（１）乗客の降車を想定する降車側停車場を特定する降車側停車場特定情報と、前記降車側停車場への移動車の到着時刻とを含む広告依頼を入力する処理
（２）入力された広告依頼を記憶する処理
（３）広告を表示する広告表示停車場から、前記降車側停車場までの移動に要する所要時間を所要時間記憶部から読み出し、広告依頼に含まれる到着時刻から、前記所要時刻を差し引くことにより、広告を出力する広告時間を判定する処理
（４）判定した広告時間を含む広告指示を作成する処理
（５）作成した広告指示を、広告表示停車場の停車場システムへ送信する処理。
【００２０】
本発明に係るプログラムは、
移動車による停車場間の移動にかかる所要時間を記憶する所要時間記憶部を有し、停車場システムと接続する交通機関用広告制御サーバとなるコンピュータに、以下の手順を実行させるためのプログラムであることを特徴とする
（１）乗客の降車を想定する降車側停車場を特定する降車側停車場特定情報と、前記降車側停車場への移動車の到着時刻とを含む広告依頼を入力する手順
（２）入力された広告依頼を記憶する手順
（３）広告を表示する広告表示停車場から、前記降車側停車場までの移動に要する所要時間を所要時間記憶部から読み出し、広告依頼に含まれる到着時刻から、前記所要時刻を差し引くことにより、広告を出力する広告時間を判定する手順
（４）判定した広告時間を含む広告指示を作成する手順
（５）作成した広告指示を、広告表示停車場の停車場システムへ送信する手順。
【００２１】
本発明に係る交通機関用広告制御方法は、
移動車による停車場間の移動にかかる所要時間を記憶する所要時間記憶部を有し、停車場システムと接続する交通機関用広告制御サーバによる交通機関用広告制御方法であって、以下の要素を有することを特徴とする
（１）乗客の降車を想定する降車側停車場を特定する降車側停車場特定情報と、前記降車側停車場への移動車の到着時刻とを含む広告依頼を入力する工程
（２）入力された広告依頼を記憶する工程
（３）広告を表示する広告表示停車場から、前記降車側停車場までの移動に要する所要時間を所要時間記憶部から読み出し、広告依頼に含まれる到着時刻から、前記所要時刻を差し引くことにより、広告を出力する広告時間を判定する工程
（４）判定した広告時間に、広告表示停車場の停車場システムへ広告指示を送信する工程。
【００２２】
本発明に係るプログラムを記録したコンピュータ読み取り可能な記録媒体は、移動車による停車場間の移動にかかる所要時間を記憶する所要時間記憶部を有し、停車場システムと接続する交通機関用広告制御サーバとなるコンピュータに、以下の処理を実行させるためのプログラムを記録したコンピュータ読み取り可能な記録媒体であることを特徴とする
（１）乗客の降車を想定する降車側停車場を特定する降車側停車場特定情報と、前記降車側停車場への移動車の到着時刻とを含む広告依頼を入力する処理
（２）入力された広告依頼を記憶する処理
（３）広告を表示する広告表示停車場から、前記降車側停車場までの移動に要する所要時間を所要時間記憶部から読み出し、広告依頼に含まれる到着時刻から、前記所要時刻を差し引くことにより、広告を出力する広告時間を判定する処理
（４）判定した広告時間に、広告表示停車場の停車場システムへ広告指示を送信する処理。
【００２３】
本発明に係るプログラムは、
移動車による停車場間の移動にかかる所要時間を記憶する所要時間記憶部を有し、停車場システムと接続する交通機関用広告制御サーバとなるコンピュータに、以下の手順を実行させるためのプログラムであることを特徴とする
（１）乗客の降車を想定する降車側停車場を特定する降車側停車場特定情報と、前記降車側停車場への移動車の到着時刻とを含む広告依頼を入力する手順
（２）入力された広告依頼を記憶する手順
（３）広告を表示する広告表示停車場から、前記降車側停車場までの移動に要する所要時間を所要時間記憶部から読み出し、広告依頼に含まれる到着時刻から、前記所要時刻を差し引くことにより、広告を出力する広告時間を判定する手順
（４）判定した広告時間に、広告表示停車場の停車場システムへ広告指示を送信する手順。
【００２４】
【発明の実施の形態】
実施の形態１．
以下本発明を図面に示す実施例に基づいて説明する。図１は、ネットワーク環境を示す図である。
１は、交通機関用広告制御サーバ、２は、広告主端末、３は、インターネット、４は、交通機関ネットワーク、５は、停車場システム、６は、停車場サーバ、７は、改札装置である。
交通機関用広告制御サーバ１は、インターネット３を介して広告主端末２に接続し、更に、交通機関ネットワーク４を介して停車場システム５と接続している。停車場システム５は、互いに接続する停車場サーバ６と改札装置７から構成されている。
【００２５】
交通機関用広告制御サーバ１の構成について説明する。図２は、交通機関用広告制御サーバの構成を示す図である。
２１は、広告依頼入力部、２２は、広告依頼記憶部、２３は、広告時間判定部、２４は、所要時間記憶部、２５は、広告指示作成部、２６は、広告指示記憶部、２７は、広告指示送信部である。広告依頼入力部２１は、インターネット３を介して広告主端末２と通信するように構成されている。広告指示送信部２７は、交通機関ネットワーク４を介して各停車場システム５と通信するように構成されている。
【００２６】
所要時間記憶部２４には、各停車場間の移動車による移動にかかる所要時間が予め記憶されている。図３は、所要時間記憶部の構成例を示す図である。
【００２７】
続いて、広告主端末２からの広告依頼を交通機関用広告制御サーバ１側で登録する処理について説明する。図４は、広告依頼を登録する処理フローを示す図である。
広告依頼入力部２１は、交通機関用広告制御サーバ１からの要求に応じて広告依頼画面を送信する（Ｓ４０１）。広告依頼画面は、広告主に広告依頼入力を促すように構成されている。広告依頼入力部２１は、広告主端末２から広告依頼を受信し（Ｓ４０２）、受信した広告依頼を広告依頼記憶部２２に記憶させる（Ｓ４０３）。広告依頼には、降車側停車場特定情報、到着時刻、広告内容、及び広告主名により構成されている。広告内容に代えて、他の領域に予め登録されている広告内容を特定する情報（例えば、広告ＩＤ）を用いてもよい。
図５は、広告依頼記憶部の構成例を示す図である。
【００２８】
次に、交通機関用広告制御サーバ１から停車場システム５へ広告指示を配信する処理について説明する。図６は、広告指示を配信する処理フローを示す図である。
広告依頼毎に、以下の処理を繰り返す（Ｓ６０１）。更に、その処理中で、路線上の各駅を乗車側停車場として、順次以下の処理を繰り返す（Ｓ６０２）。
広告時間判定部２３は、広告時間判定処理（Ｓ６０３）を行い、広告時間と乗車側停車場特定情報と降車側停車場特定情報を出力する。広告指示作成部２５は、広告指示作成処理（Ｓ６０４）を行い、広告指示と広告表示停車場特定情報を出力し、広告指示記憶部２６に記憶させる。
【００２９】
ここで、前述の広告時間判定処理について詳述する。図７は、広告時間判定処理を示す図である。
本処理の前提として、前述のループ処理（Ｓ６０１、Ｓ６０２）に従って、対象となる広告依頼と乗車側停車場が特定されている。以下、それらを当該広告依頼と当該乗車側停車場という。
広告時間判定部２３は、当該広告依頼に含まれる降車側停車場特定情報を取得し（Ｓ７０１）、当該乗車側停車場から、降車側停車場特定情報により特定される降車側停車場への移動の所要時間を、所要時間記憶部より取得する（Ｓ７０２）。一方、当該広告依頼に含まれる到着時刻を広告依頼記憶部２２から取得し（Ｓ７０３）、到着時刻から所要時間を差し引いて、広告時間を求め（Ｓ７０４）、広告時間と、当該広告依頼に含まれる降車側停車場特定情報と、当該乗車側停車場の乗車側停車場特定情報を出力する。
【００３０】
続いて、広告指示作成処理について詳述する。図８は、広告指示作成処理を示す図である。
本処理においても、前述の処理と同様に、当該広告依頼と当該乗車側停車場が特定されている。広告指示作成部２５は、当該広告依頼に含まれる広告内容（又は、広告内容を特定する情報）を取得し（Ｓ８０１）、広告時間と広告内容（又は、広告内容を特定する情報）と降車側停車場特定情報とを含む広告指示を作成する（Ｓ８０２）。そして、作成した広告指示を、当該乗車側停車場を広告表示停車場として、広告表示停車場を特定する広告表示停車場特定情報と対応付けて広告指示記憶部に記憶させる（Ｓ８０３）。
【００３１】
図６に示すように、路線上のすべての駅について処理した時点で（Ｓ６０５）、次の広告依頼の処理に移行する。これらの処理が、すべての広告依頼について行われると（Ｓ６０６）、広告指示送信部２７は、上述の処理で作成したすべての広告指示をそれぞれ対応する広告表示停車場特定情報により特定される停車場システム５に対して送信する（Ｓ６０７）。
【００３２】
次に、停車場システム５側の動作について説明する。図９は、停車場システムの構成を示す図である。
９１は、広告指示受信部、９２は、広告指示記憶部、９３は、広告出力部、９４は、広告時間判定部、９５は、定期券判定部、９６は、定期券読取部、９７は、広告印字指示部、９８は、印字装置である。この例では、広告出力部９３を、停車場サーバ６側の広告時間判定部９４と定期券判定部９５と広告印字指示部９７、及び改札装置７側の定期券読取部９６と印字装置９８により構成している。印字装置９８は、書換え可能な手段により、定期券に対して印字する。
【００３３】
広告指示受信部９１は、交通機関用広告制御サーバ１から広告指示を受信し、広告指示記憶部９２に記憶させる。広告出力部９３は、広告指示記憶部９２から広告指示を取得し、以下の処理を行う。広告時間判定部９４は、現在時刻が広告指示に含まれる広告時間に該当するか繰り返し判定する。定期券読取部９６は、挿入された定期券から乗車区間を読み取り、定期券判定部９５に送信する。定期券判定部９５は、乗車区間の一端が、広告指示に含まれる降車側停車場特定情報により特定される降車側停車場に該当するか判定する。広告印字指示部９７は、広告時間判定部９４からの判定結果が「広告時間に該当する」ことを示し、定期券判定部９５からの判定結果が、「乗車区間の一端が降車側停車場に該当する」ことを示している場合に、印字装置９８に対して広告内容の印字を指示する。印字装置９８は、広告内容を定期券に印字する。
【００３４】
広告依頼中で広告内容に代えて広告内容を特定する情報（例えば、広告ＩＤ）を用いている場合には、広告内容を特定する情報を広告内容に変換する必要があるが、この処理は、交通機関用広告制御サーバ１あるいは停車場システム５内のいずれかの装置（例えば、交通機関用広告制御サーバ１の広告指示作成部２５）において、広告内容を特定する情報（例えば、広告ＩＤ）に対応付けて広告内容を格納する領域にアクセスすることにより行う。当該領域も設ける場所も特に限定されず、各装置内に設けてもよいし、通信によりアクセス可能な外部装置に設けてもよい。
【００３５】
実施の形態２．
前述の実施の形態では、広告指示に広告時間を含め、停車場システム５で広告を出力するタイミングを判定したが、本実施の形態では、交通機関用広告制御サーバ１で広告を出力するタイミングを判定する例について説明する。
【００３６】
本実施の形態では、広告指示送信部２７において現在時刻を取得し、広告指示記憶部２６に記憶されている広告指示毎に、広告時間に至ったかどうか繰り替えし判定する。広告時間に至った場合に、広告内容と降車側停車場特定情報を含む広告指示を停車場システム５に送信する。停車場システム５では、前述の定期券判定部９５の判定のみを行い、判定結果が「乗車区間の一端が降車側停車場に該当する」ことを示している場合に、印字装置９８に対して広告内容の印字を指示する。
【００３７】
以上の説明では、移動車が電車であって、停車場が駅であることを想定したが、他の手段や施設であっても構わない。例えば、移動車がバスであって、停車場が停留所であっても構わない。
【００３８】
尚、前述の交通機関用広告制御サーバ１と、停車場システム５（停車場サーバ６と改札装置７を含む）は、コンピュータであり、各要素はプログラムにより処理を実行することができる。また、プログラムを記憶媒体に記憶させ、記憶媒体からコンピュータに読み取られるようにすることができる。
【００３９】
【発明の効果】
交通機関用広告制御サーバは、広告依頼に含まれる到着時刻から所要時刻を差し引くことにより広告時間を判定し、広告依頼に含まれる降車側停車場特定情報と広告時間を含む広告指示を停車場システムへ送信し、停車場システムは、広告時間に従って、降車側停車場を乗車区間の一端とする定期券に広告を出力するので、広告主が予定した停車場に、予定した到着時刻に到着する乗客を選択して、その乗客の定期券に広告を印字することができる。
これにより、所定停車場近辺に所定時間に滞在する者（交通機関を利用する乗客）に対して確実に広告を提供することができる。従って、飲食サービスや、特売等のように、場所と時間が限定される取引に関して宣伝活動を効率化することができる。乗客にとっても、降車以後の行動に関連する身近な広告を取得することができ、広告システム自体への信頼が向上する。
【００４０】
交通機関用広告制御サーバ側で、広告時間に至ったかを判断する場合においても、同様の効果を奏することができる。
【図面の簡単な説明】
【図１】  ネットワーク環境を示す図である。
【図２】  交通機関用広告制御サーバの構成を示す図である。
【図３】  所要時間記憶部の構成例を示す図である。
【図４】  広告依頼を登録する処理フローを示す図である。
【図５】  広告依頼記憶部の構成例を示す図である。
【図６】  広告指示を配信する処理フローを示す図である。
【図７】  広告時間判定処理を示す図である。
【図８】  広告指示作成処理を示す図である。
【図９】  停車場システムの構成を示す図である。
【符号の説明】
１  交通機関用広告制御サーバ、２  広告主端末、３  インターネット、４  交通機関ネットワーク、５  停車場システム、６  停車場サーバ、７  改札装置、２１  広告依頼入力部、２２  広告依頼記憶部、２３  広告時間判定部、２４所要時間記憶部、２５  広告指示作成部、２６  広告指示記憶部、２７  広告指示送信部、９１  広告指示受信部、９２  広告指示記憶部、９３  広告出力部、９４  広告時間判定部、９５  定期券判定部、９６  定期券読取部、９７  広告印字指示部、９８  印字装置。
【図１】
0003752189.tif 000002
【図２】
0003752189.tif 000003
【図３】
0003752189.tif 000004
【図４】
0003752189.tif 000005
【図５】
0003752189.tif 000006
【図６】
0003752189.tif 000007
【図７】
0003752189.tif 000008
【図８】
0003752189.tif 000009
【図９】
0003752189.tif 000010